Podtech/llm-jp-corpus-v4-ja_patent huggingface dataset:
(57)【要約】      （修正有）【課題】簡単にかつ安価に作製でき、宣伝効果のある使い捨ての箸置きを提供する。【解決手段】持ち運びに便利であるように薄い楕円盤にし、楕円盤の一部に楕円の周に沿って切り込みをいれてある。箸置きとして使用するときに、切り込みに沿って楕円盤の一部を折り曲げて箸置き部分を作って使用する。さらに箸置きの目的以外にも楕円盤部分や折り曲げた部分に宣伝をいれたり、名前をいれたりして箸置き以外の効用を持たせることができる。例えば、ビール会社の宣伝をいれたり、パーティ等の席決めに利用できる。また、安価にできるため、ファミリーレストラン等の使い捨て箸置きに最適である。さらに、大きさによっては、そのままコースターとしても使用できる。【選択図】図５
0003142964.tif 000002
【実用新案登録請求の範囲】
【請求項１】
楕円盤の一部に楕円の周に沿って切り込みをいれ、切り込みに沿って、楕円盤の一部を折り曲げて作る箸置き。
【考案の詳細な説明】
【技術分野】
【０００１】
本考案は、箸置きに関するものである。
【背景技術】
【０００２】
従来の箸置きは竹、陶器、金物、紙等で最初から立体になっているものが多く、デザイン重視の物が多い。  
【０００３】
簡易な箸置きは紙でできているものが多く、箸袋を利用して作るもや長方形の紙を折って作るものなどがある。
【特許文献１】特許公開２００２−１６５６９１号公報
【特許文献２】特許公開２０００−１３９６５８号公報
【特許文献３】実用新案公開平８−１０５３号公報
【特許文献４】実用新案公開平６−１３６４８号公報
【特許文献５】実用新案公開平５−５１１７１号公報
【考案の開示】
【考案が解決しようとする課題】
【０００４】
従来のデザイン重視の箸置きは、高価になるし、使用後に洗ったり、保管したりする手間ひまもかかる。また、外で使用するにも持ち運びが不便である。さらに大量に使用する飲食業者にあってはその輸送等にコストがかかるのも問題である。また宣伝効果を持つ箸置きは少ない。
【課題を解決するための手段】
【０００５】
本考案は、前述のような問題点に鑑み、持ち運びに便利であるように薄い楕円盤にし、楕円盤の一部に楕円の周に沿って切り込みをいれてある。箸置きとして使用するときに、切り込みに沿って楕円盤の一部を折り曲げて箸置き部分を作って使用する。
【考案の効果】
【０００６】
本考案の箸置きは薄型で持ち運びがしやすく、簡単に箸置きを作ることができ、安価に作製できる。本考案は箸置き部分を本体の端に作ることができるので、中央部分にコップ等を置くことができ、コースターの役目を持たせることもできる。また、本考案は箸置きの目的以外にも楕円盤部分や折り曲げた部分に宣伝をいれたり、名前をいれたりして箸置き以外の効用を持たせることができる。例えば、ビール会社の宣伝をいれたり、パーティ等の席決めに利用できる。また、安価にできるため、ファミリレストラン等の使い捨て箸置きに最適である。さらに、大きさによっては、そのままコースターとしても使用できる。
【考案を実施するための最良の形態】
【０００７】
次に本考案の実施の形態を実施例となる図面を参照して説明する。本図は楕円盤に切り込みをいれた例で、コースターの役目を持たせている例を示している。本体１の一部に折り曲げるための切り込み２がある。３は箸置き部分であり、４および５は谷折するための点線である。切り込み７は、点線８により谷折し、箸置き部分３を挟み込むためのものである。なお、本体１の大きさは目的に応じて、大きくても小さくても自由である。
【０００８】
本考案の箸置きを使用するときは、切り込み２に沿って箸置き部分３を点線４および５にて谷折に折り曲げる。切り込み７の部分を点線８にて谷折し、ここに箸置き部３を差し込んで箸を置くところを作る。そのため、箸を３点で支えることになり、箸の重みに耐えうるので、素材は紙等で十分である。また、箸を置くところは中央がへこんだ形をなしていて箸を置きやすくなっている。また、本体１の中央部には、コップ等を置いてコースターの役目も持たせている。なお、円は楕円の一形態であり、本考案の楕円盤の形状は、この形に限らず、長方形、正方形等でもよく、切り込みも本図の位置に限らない。
【図面の簡単な説明】
【０００９】
【図１】本考案の平面図である。
【図２】本考案の箸置き部を作ったときの斜視図である。
【図３】図２の左側面図である。
【図４】図２の右側面図である。
【図５】本考案の実施例で箸を置いたときの斜視図である。
【符号の説明】
【００１０】
１は箸置き本体
２は箸置き部を作るための切り込み
３は箸置き部
４は谷折する点線
５は谷折する点線
６は箸
７は箸置き部３を差し込むための切り込み        
８は谷折する点線
【図１】
0003142964.tif 000003
【図２】
0003142964.tif 000004
【図３】
0003142964.tif 000005
【図４】
0003142964.tif 000006
【図５】
0003142964.tif 000007
(57)【要約】【課題】    安定した定位効果を達成する組み合わせ式テレビラック構造を提供する。【解決手段】  組み合わせ式テレビラック構造であって、テレビラックは、主に、フレーム体と三つの承板からなり、フレーム体は二つの相対状の門型脚前後に若干の横接棒と掛棒を連結し、承板は、フレーム体の上中下位置に設置される。相対状の門型脚は方形の管体で、二門型脚上端の水平方向の管体間の外側に近い位置に、二つの円管形の掛棒を連結し、二掛棒と二門型脚は、フレーム平台を形成し、上承板を定位する。上承板は周縁に、それぞれ、前後辺の直角折辺と二側辺が相対する凹弧辺を成型し、フレーム平台に掛置される。  【選択図】図２
0003142962.tif 000002
【実用新案登録請求の範囲】
【請求項１】
組み合わせ式テレビラック構造であって、前記テレビラックは、主に、フレーム体と三つの承板からなり、前記フレーム体は二つの相対状の門型脚前後に若干の横接棒と掛棒を連結し、前記承板は、フレーム体の上中下位置に設置され、前記フレーム体の門型脚は方形の管体で、二門型脚上端の水平方向の管体間の外側に近い位置に、二つの円管形の掛棒を連結し、二掛棒と二門型脚は、フレーム平台を形成し、前記上承板を定位し、前記上承板は周縁に、それぞれ、前後辺の直角折辺と二側辺が相対する凹弧辺を成型し、前後辺の直角折辺は、二門型脚上に掛置され、二側辺の相対する凹弧辺は、円管形の掛け棒の円径と位置に適合し、二掛棒上に掛置されることを特徴とする組み合わせ式テレビラック構造。
【請求項２】
前記二凹弧辺の端口は内に彎弧し、二凹弧辺端口の幅は、二掛棒の幅より少し小さいことを特徴とする請求項１に記載の組み合わせ式テレビラック構造。
【請求項３】
前記上承板の直角折辺と前記凹弧辺の対接する四隅にノッチを形成することを特徴とする請求項１に記載の組み合わせ式テレビラック構造。
【考案の詳細な説明】
【技術分野】
【０００１】
本考案は、組み立て式テレビラックの構造に関し、特に、滑動、脱落しにくい安定効果のあるテレビラックの構造に関する。
【背景技術】
【０００２】
図５で示される公知の組み合わせ式テレビラックは、二つの相対する門型の脚前後に、複数の横接棒と掛棒を連結し、三つの承板がフレーム体の上中下の位置に架設される。門型脚は円形管体で、上端に上承板を設置し、上承板は周縁に、それぞれ、前後辺が相対する凹弧辺と両側辺の直角折辺を成型する。前後辺が相対する凹弧辺は、円管形の掛棒円径と位置に適合し、二門型脚上に掛置されると共に、二凹弧辺の端口が若干、内に彎弧して、二凹弧辺端口の幅は、二門型脚の幅より少し小さく、上承板材質の適当な弾力により、二凹弧辺を二門型脚上に固定する。公知の組み合わせ式テレビラック構造は、上承板の左右両辺がフレーム体と抵接していないので、安定が悪く、使用上、偏移しやすい。
【考案の開示】
【考案が解決しようとする課題】
【０００３】
本考案の目的は、滑動、脱落しにくい安定効果のある組み合わせ式テレビラックの構造を提供することにある。
【課題を解決するための手段】
【０００４】
本考案の組み合わせ式テレビラックの構造は、主に、フレーム体と三承板と、からなる。
【考案の効果】
【０００５】
本考案の組み合わせ式テレビラックは、滑動、脱落しにくい安定効果が得られる。
【考案を実施するための最良の形態】
【０００６】
図１〜図４は、本考案の組み合わせ式テレビラック構造を示す図で、テレビラックは、主に、フレーム体１０と三つの承板２１、２２、２３からなる。フレーム体１０は二つの相対状の門型脚１１前後に若干の横接棒と掛棒を連結し、承板は、フレーム体の上中下位置に設置される。フレーム体１０の門型脚１１は方形の管体で、二門型脚１１上端の水平方向の管体間の外側に近い位置に、二つの円管形の掛棒１２を連結し、二掛棒１２と二門型脚１１は、フレーム平台を形成し、上承板２１を定位する。上承板２１は周縁に、それぞれ、前後辺の直角折辺２１１と二側辺が相対する凹弧辺２１２を成型し、前後辺の直角折辺２１１は、二門型脚１１上に掛置され、二側辺の相対する凹弧辺２１２は、円管形の掛け棒１２の円径と位置に適合し、二掛棒１２上に掛置されると共に、二凹弧辺２１２の端口は、内に彎弧し、二凹弧辺２１２端口の幅は、二掛棒１２の幅より少し小さく、上承板２１の材質の適当な弾力により、二凹弧辺２１２を二掛棒１２に定位する。
【０００７】
注意すべきことは、上承板２１の直角折辺２１１と凹弧辺２１２の対接する四隅は、ノッチ２１３を形成して、フレーム体の二門型脚１１と二掛棒１２の連結を便利にすることである。
【０００８】
フレーム体の二門型脚１１の方形管体と二掛棒１２によりなるフレーム平台は、上承板２１周縁の直角折辺２１１、及び、凹弧辺２１２を定位枢設し、凹弧辺２１２の端口は、内に彎弧し、上承板が二円管形の掛棒１２上に固定されるので、フレーム体１０上の上承板２１は滑動、脱落しにくい安定効果がある。
【図面の簡単な説明】
【０００９】
【図１】本考案の立体図である。
【図２】フレーム体と承板の立体分解図である。
【図３】本考案の前視局部断面図である。
【図４】本考案の側視図である。
【図５】公知のテレビラックの立体図である。
【符号の説明】
【００１０】
１０    フレーム体
１１    門型脚
１２    掛棒
２１    上承板
２１１  直角折辺
２１２  凹弧辺
２１３  ノッチ
２２    中承板
２３    下承板
【図１】
0003142962.tif 000003
【図２】
0003142962.tif 000004
【図３】
0003142962.tif 000005
【図４】
0003142962.tif 000006
【図５】
0003142962.tif 000007
(57)【要約】      （修正有）【課題】階段本体に、従来まで他業種工事となっていた（化粧材、踏み板等）ロートアイアン手摺りを一社で設計、製作、施工する一体型螺旋階段を提供する。【解決手段】一社の中で設計、製作することで、事前に工場内で不具合等を発見、修正することが可能である為、問題点を解決することができる。階段本体に、従来まで他業種工事となっていた（化粧材、踏み板等）ロートアイアン手摺りを一社で設計、製作、施工することを特徴とする階段である。【選択図】図２
0003142965.tif 000002
【実用新案登録請求の範囲】
【請求項１】
螺旋階段の芯棒にあらかじめ作られた踏み板をセットし、その上に木製化粧板を取付
け、ささら桁に手摺りを取付け、手摺り笠木部分は木製とし、一貫設計、製造、施工と
した一体型螺旋階段
【考案の詳細な説明】
【技術分野】
【０００１】
本考案は、階段と付随する化粧材及びロートアイアン手摺りの階段設計、製作、施工
技術に関するものである。
【背景技術】
【０００２】
住宅、その他施設等において他業者が階段躯体を施工後に、化粧材及びロートアイアン
の施工をする為、現場において、実測及び採寸をし、再度設計をし直す作業が強いられて
いた。又、微調整分として余分な化粧材、余計な施工を考えての設計となっていた。その
結果、施工的に簡単なものが選ばれ、デザインのこったもの等は納まりが悪くなる可能性
があり、必然的に避けられることとなっていた。
【考案の開示】
【考案が解決しようとする課題】
【０００３】
別施工は、再設計及び取り付け職人の人工代による労働的及び経済的負担も大きい。従
って、階段化粧材と手摺りを一体で設計及び製品化し、施工までも簡単できるように設計
することにより、階段そのもの一体で施工が可能になり、前途の欠点を解決しようとする
ものである。
【課題を解決するための手段】
【０００４】
本考案は、一社の中で設計、製作することで、事前に工場内で不具合等を発見、修正す
ることが可能である為、問題点を解決している。階段本体に、従来まで他業種工事となっ
ていた（化粧材、踏み板等）ロートアイアン手摺りを一社で設計、製作、施工することを
特徴とする階段
【考案の効果】
【０００５】
上途の様に、階段を仕上がりまで一貫して設計、製作するため、今まで困難と思われて
いたデザインの優れた手摺りも取付け可能となり、施主の希望に速やかに答えることが可
能となった。又、同様のものを他業者間工事でした場合と比べても半分くらいのコストダ
ウンに繋がる。
【考案を実施するための最良の形態】
【０００６】
階段本体を工場内で組み上げ、その階段に合わせた形で化粧材、ロートアイアン手摺
りを製作していく。全ての部材を一度工場内で組み上げ、各所不具合がないことを確認
した後、解体し、現場への搬出となる。
【実施例】
【０００７】
以下、添付図面に従って一実施例を説明する。
【０００８】
１は、木製のムク材を使った手摺り笠木
２は、手摺り。１は２よりビスにて固定されている。
【０００９】
３は、木製のムク材を使った踏み板。
【００１０】
４は、鉄骨製踏み板。３は接着にて４と接合している。
【００１１】
５は、鉄骨製芯棒。４は５に差し込み、ボルトにて接合している。
【００１２】
６は、ささら桁。２は６とボルトにて接合している。
【図面の簡単な説明】
【００１３】
【図１】本考案の平面図である。
【図２】本考案の展開図である。
【図３】本考案の立面図である。
【符号の説明】
【００１４】
１  木製手摺り笠木
２  金属製ロートアイアン手摺り
３  木製階段踏み板
４  鉄骨製踏み板
５  鉄骨製芯棒
６  ささら桁
【図１】
0003142965.tif 000003
【図２】
0003142965.tif 000004
【図３】
0003142965.tif 000005
(57)【要約】      （修正有）【課題】職人の技術を必要としたかき揚げ天ぷらを家庭で簡単に形良く、美味しく作成することができる調理器具を提供する。【解決手段】紙製であり筒体の一方の端が筒体の軸心に対し直角な面で開口し、他方の端は斜めの面で開口させると共に斜開口部の頂点部分に取手を設けたことを特徴とするかき揚げ天ぷら用調理器具である。サイズを家庭用のコンパクトサイズにし、組立前の紙に折り目点線を付けることで、組み立てやすさを確保する。また、取手の部分からの油の熱が直接持ち手に当たらないように柄の部分を斜め形状にカットすることとそれにより柄の部分の強度を確保する。【選択図】図１
0003142972.tif 000002
【実用新案登録請求の範囲】
【請求項１】
紙製であり筒体の一方の端が筒体の軸心に対し直角な面で開口し、他方の端は斜めの面で開口させると共に斜開口部の頂点部分に取っ手を設けたことを特徴とするかき揚げ天ぷら用調理器具
【考案の詳細な説明】
【技術分野】
【０００１】
調理器具に関するものである
【背景技術】
【０００２】
従来はステンレス製のものばかりであり、業務用としてしか流通していないためサイズも家庭用よりも大きく、またかき揚げと天ぷらというもの自体プロの技術がないと作る事が難しいという問題があり、家庭で作ることが非常に難しい。
【考案の開示】
【考案が解決しようとする課題】
【０００３】
従来のかき揚げ天ぷら用調理器具はステンレス製しかなく、材質からくる器具の大きさ、形状の不便さや業務用ということもあり、一般家庭では手軽に入手出来ない、また、家庭では飲食店のような頻度でかき揚げ天ぷらを作る必要性はないという課題があった。
【課題を解決するための手段】
【０００４】
本考案は紙製であり筒体の一方の端が筒体の軸心に対し直角な面で開口し、他方の端は斜めの面で開口させると共に斜開口部の頂点部分に取手を設けたことを特徴とするかき揚げ天ぷら用調理器具である。
材質を紙にする。
形状を折りたたみ式にする。（必要に応じて組み立てることができる）
サイズを家庭用のコンパクトサイズにする。組立前の紙に折り目点線を付けることで、組み立てやすさを確保する。また、取手の部分からの油の熱が直接持ち手に当たらないように柄の部分を斜め形状にカットすることとそれにより柄の部分の強度を確保する。
斜め形状部の頂部を折り曲げて持ち手部分とすることで器具の安定性とより油の熱を持ち手に伝わらないようにする。
本考案品の側面に丸穴を配置することで、器具内の油の温度と器具外の温度差を解消する。
【考案の効果】
【０００５】
手軽に組み立てることができ、コンパクト化を図ることで、一般流通にも乗せることができ、一般家庭でも入手可能。
プロだけでなく技術の無い方にも簡単に形の良い、美味しいかき揚げ天ぷらを作製することができる。
本考案品は使い切りになるため衛生管理の向上につながる。
【考案を実施するための最良の形態】
【０００６】
かき揚げ天ぷらの高さを確保する筒状部分の長さの確保と調理器具の上方部に油の熱気が手元に届かない程度の長さを有した柄の部分の確保。
また、側面部に油の循環用穴を上下３段位に分けて付けることにより、調理器具内の温度と外の温度を一定に保つようにする。
現存する調理器具のかき揚げ用器具はステンレス製のみであり、わざわざかき揚げを作るためのみに購入する必要があります。また、このステンレス製のかき揚げ器具は業務用での購入しか手に入れることができず、家庭で手軽にかき揚げ天ぷらを作ることは難しい現状です。しかし、本考案品は材質が紙であり、サイズもコンパクトでしかも必要な時だけ使用する組み立て式であることから気軽に家庭で職人さながらの美味しく、形の良いかき揚げの天ぷらを作成することが可能になる。
【実施例】
【０００７】
以下図１〜図４までを参照して本考案の実施説明をする。
先ず、図４の状態の本考案品を折り目に沿って図１〜図３のような完成状態に組み立てる。
図４の例では紙幅を約18ｍｍ〜25ｍｍ、スカート部分50ｍｍ〜70ｍｍ、全高さ22ｍｍ〜25ｍｍの素材を裁断し、これを筒体に形成した。筒体への形成は幅方向に縦に折れ線３を予め形成しておき、この折れ線に沿って折り曲げた。その結果、図３に示すような筒体を得た。そして、天ぷら鍋６に天ぷら油５をかき揚げ天ぷらの作製時の高さまで投入し加熱する。天ぷら油５の温度が上昇後は１４０℃〜１６０℃くらいに保ちその後、本考案品を天ぷら油５に図２で示すように投入する。この時本考案品を天ぷら鍋６のそこに付くように自立させる。それから桜エビや貝柱等（食材は野菜の駒切り、魚介類など実施物以外での作製も可能である）の種物を小麦粉で溶いた天ぷら用衣と混ぜ合わせ種物投入口７から投入する。この時に本考案品の内側の温度が一端低下するが油の循環用穴８があることにより、すぐに外側の油と混ざり合い温度をすぐに上昇させることができるので、食材に素早く火を通すことができるとともに、仕上がりの奇麗な具材のまとまりを得ることができる。
投入後は箸などでかき回し種物を均一に散らしてかき揚げ天ぷらの形を形成するまで持ち手部分１を持った状態で固定して維持する。形を形成後は箸などでかき揚げ天ぷらを押さえながら本考案品をゆっくりと天ぷら油５より抜き取る。天ぷら油５内に残ったスカート部分４の高さを維持したかき揚げ天ぷらをすくい網などですくい取り油切りをして形の良い（高さの一定した）美味しくサクサクのかき揚げ天ぷらを作製することができる。
【産業上の利用可能性】
【０００８】
調理器具産業で利用できる考案である
【図面の簡単な説明】
【０００９】
【図１】考案品の完成品正面図
【図２】考案品の完成品側面図である
【図３】考案品の完成品斜視図である
【図４】考案品の組立前の素材の展開図
【符号の説明】
【００１０】
１  持ち手部分
２  柄の部分
３  折り目線
４  スカート部分（油に浸かっている部分・かき揚げ天ぷらの完成時高さ）
５  天ぷら油
６  天ぷら鍋
７  種物投入口
８  油の循環用穴
【図１】
0003142972.tif 000003
【図２】
0003142972.tif 000004
【図３】
0003142972.tif 000005
【図４】
0003142972.tif 000006
(57)【要約】      （修正有）【課題】携帯電話購入時に付属品として付いてくる充電用ＡＣアダプターのケーブルとコネクタの収納方法を改善して、使用性と収納性及び未使用時の見栄えの改善を図るものである。【解決手段】従来の充電用ＡＣアダプターの電源プラグ収納部とは反対側の本体ケース上面１にケーブル巻き付け部とコネクタ収納部８を設定し、本体ケース後部のフランジ７とケーブル巻き付け部の立ち壁面に設けたスリット９により、コネクタ４の固定とケーブル長の調整を可能とする。【選択図】図１
0003142979.tif 000002
【実用新案登録請求の範囲】
【請求項１】
携帯電話購入時に付属品として付いてくる充電用ＡＣアダプターの電源プラグ収納部とは反対側の本体ケース上面に、本体ケースを相似形に縮小した平面形状の外周線に沿って垂直方向に立ち上げた立ち壁面と、立ち壁面の上辺から外側水平方向に本体ケースの最大外形形状と一致する位置まで水平面を延長してフランジ部を形成し、前記立ち壁面、フランジ部、本体ケース上面とによって形成されたコの字状のスペースをケーブル巻き付け部、更に、本体ケース上面と立ち壁面の内面とによって形成された凹部をコネクタの収納部として、ケーブル及びコネクタを本体ケースと一体的に収納し、本体ケース後部のフランジ部と立ち壁面に設けたスリットでケーブルを挟み込むことによって、コネクタの固定とケーブル長の調整機能を持たせた携帯電話充電用ＡＣアダプター。
【考案の詳細な説明】
【技術分野】
【０００１】
本考案は携帯電話を充電する為の機器に関する。
【背景技術】
【０００２】
携帯電話購入時に付属品として付いてくる充電用ＡＣアダプターは、電源プラグと回路基盤を収めた本体ケースとコネクタ、及び、それらを繋ぐケーブルによって構成されている。充電時はプラグをコンセントに差し込み、コネクタを充電ホルダーか携帯電話本体に接続して使用するが、様々な充電状況に対応する為にケーブルは通常１ｍ５０ｃｍ程度の長さが用意されている。
【考案の開示】
【考案が解決しようとする課題】
【０００３】
然しながら、携帯電話購入時に付属品として付いてくる充電用ＡＣアダプターではケーブル長の調整が出来ない為に、充電状況によってはダブついたケーブルを引っ掛けて思わぬ事態を招く危険性が有る上に、充電に使用しない時にはケーブルと先端に取り付けたコネクタの収納場所が無く、本体に巻き付けるか適当に束ねることで対応するしか方法が無く、目障りな上に携帯にも不便である。
【課題を解決するための手段】
【０００４】
このような課題の解決を目的とした本考案の携帯電話充電用ＡＣアダプターは、電源プラグ収納部とは反対側の本体ケース上面に、本体ケースを相似形に縮小した平面形状の外周線に沿って垂直方向に立ち上げた立ち壁面と、立ち壁面の上辺から外側水平方向に本体ケースの最大外形形状と一致する位置まで水平面を延長してフランジ部を形成し、前記立ち壁面、フランジ部、本体ケース上面とによって形成されたコの字状のスペースをケーブル巻き付け部、更に、立ち壁面の内面と本体ケース上面によって形成された凹部をコネクタの収納部として、ケーブル及びコネクタを本体ケースと一体的に収納し、本体ケース後部のフランジ部と立ち壁面に設けたスリットでケーブルを挟み込むことによって、コネクタの固定とケーブル長の調整機能を持たせて、使用性と携帯性の向上を図るものである。
【考案の効果】
【０００５】
巻き付け部とケーブルを挟み込むスリットを設けることで、充電状況に合わせてケーブル長さの調整が可能となり、不用意なケーブルの引っ掛かりを防止することが可能となる。
【０００６】
出先での充電に備えて持ち歩く場合にも、ケーブルとコネクタを本体ケースとコンパクトに一体化することで携帯性、収納性が向上する。
【０００７】
製品の出荷に際しても、ケーブルを一定の長さに束ねて結束する作業の簡便化と付加的な固定具が不要となるメリットもある。
【考案を実施するための最良の形態】
【０００８】
以下、本考案の実施例を図面に基づいて説明する。
【実施例】
【０００９】
図１〜図５は本考案による携帯電話充電用のＡＣアダプターの部品構成と構造を示す図面である。図１〜図５に基づき実施例について説明する。
【００１０】
基本的には図１、図２で示すように携帯電話購入時に付いてくる従来のＡＣアダプターと同様に本体上面ケース１、本体下面ケース２、電源プラグ３、コネクタ４とそれらを繋ぐケーブル５によって構成される。
【００１１】
図３、図４で示すように本体上面ケース１に本体ケース外形形状を相似形に縮小した平面形状の外周線に沿って垂直方向に立ち上げた立ち壁面を設けてケーブル巻き付け部６とし、立ち壁面の上辺から外側水平方向に本体ケースの最大外形形状と一致する位置まで水平面を延長してフランジ部７を形成し、ケーブルの弛みと浮き上がりを防ぐ。
【００１２】
図５で示すようにフランジ部７の内側にケーブル巻き付け部６の内壁面で囲まれるコネクタ収納部８を設けるが、コネクタを収納する際にケーブルとの干渉を避ける為、コネクタ収納部８の後部フランジ部７とケーブル巻き付け部６の立ち壁面にはスリット９を設ける。
【００１３】
スリット９はケーブルを挟み込んでコネクタを固定すると同時にケーブル長の調整機能としての役割も担う。
【図面の簡単な説明】
【００１４】
【図１】本考案における機器の部品構成を表面方向から示す図面である。
【図２】本考案における機器の部品構成を裏面方向から示す図面である。
【図３】本考案における機器の平面図である。
【図４】本考案における機器の側面図である。
【図５】本考案における機器のケーブル巻き付け部を示す断面図である。
【符号の説明】
【００１５】
１    本体上面ケース
２    本体下面ケース
３    電源プラグ
４    コネクタ
５    ケーブル
６    ケーブル巻き付け部
７    フランジ
８    コネクタ収納部
９    スリット
【図１】
0003142979.tif 000003
【図２】
0003142979.tif 000004
【図３】
0003142979.tif 000005
【図４】
0003142979.tif 000006
【図５】
0003142979.tif 000007
(57)【要約】      （修正有）【課題】ＩＤＥのライトコマンド回数をシステム稼動時に長時間にわたり計測することができる回数計測装置を提供する。【解決手段】ＩＤＥコマンドレジスタに書き込まれたライトコマンドを識別し、その回数をカウントするライトコマンドカウント手段５と、上記カウント数を表示するライトコマンドカウント数表示手段６を有する。【選択図】図１
0003142911.tif 000002
【実用新案登録請求の範囲】
【請求項１】
ＩＤＥインターフェース信号をモニターする装置であって、
ＩＤＥコマンドレジスタに書き込まれたライトコマンドを識別し、その回数をカウントするライトコマンドカウント手段と、
上記カウント数を表示するライトコマンドカウント数表示手段を有することを特徴とするＩＤＥインターフェースライトコマンド回数計測装置。
【請求項２】
請求項１におけるライトコマンドカウンタ数表示手段が７セグメントＬＥＤ表示器であることを特徴とする請求項１に記載のＩＤＥインターフェースライトコマンド回数計測装置。
【請求項３】
請求項１におけるライトコマンドカウンタ数表示手段が液晶表示器であることを特徴とする請求項１に記載のＩＤＥインターフェースライトコマンド回数計測装置。
【考案の詳細な説明】
【技術分野】
【０００１】
本考案は、パーソナルコンピュータなどにおいて標準的に使用されているハードディスクインターフェイスであるＩＤＥインターフェイス信号をモニターする装置に関するものであり、記憶装置へのライトコマンド回数を計測、表示する装置に関する。
【背景技術】
【０００２】
パーソナルコンピュータの記憶装置としてはハードディスク（以下ＨＤＤという）が最も一般的であり、そのインターフェイス仕様としてはＩＤＥインターフェイスを使用したものが普及している。
【０００３】
記憶装置としては、ＨＤＤのみならずフラッシュメモリを記憶媒体とした記憶装置も近年普及し始めている。フラッシュメモリ特にＮＡＮＤ型フラッシュメモリは、ＨＤＤと異なり書き換え寿命の制限が存在するため、書き換え回数を測定するなどＨＤＤとは異なる評価を行わなければならない。
【０００４】
このような評価装置としては下記の非特許文献１がある。
【非特許文献１】東陽テクニカ社製  IDE-PocketIIIシリーズ  カタログ
【考案の開示】
【考案が解決しようとする課題】
【０００５】
しかし、既存のＩＤＥバスモニターシステムは、ＨＤＤの評価を前提としているため、ＮＡＮＤ型フラッシュメモリを記憶媒体とした記憶装置の評価特に上述のような書き込み寿命を測定予測する評価に使用するには適していない。すなわち、従来のＩＤＥバスモニターは非常に多機能であるためモニターする信号が多岐にわたるのに対し限られたメモリ容量しかないため、ＩＤＥのライトコマンド回数をシステム稼動時に長時間にわたり計測することができないという欠点がある。
【課題を解決するための手段】
【０００６】
本考案は、ＩＤＥインターフェースにおけるコマンドレジスタに書き込まれたライトコマンドを識別し、その回数をカウントするライトコマンドカウント手段と、上記カウント数を表示するライトコマンドカウント数表示手段を有することを特徴とするＩＤＥライトコマンド回数計測装置である。
【考案の効果】
【０００７】
本考案によれば、ＩＤＥバス上にて、容易にライトコマンドの回数を測定できるので、ＮＡＮＤ系フラッシュメモリを使用した記憶装置の書き込み寿命を簡易に予測できる。また、本考案によれば、ＩＤＥライトコマンドの回数のみをモニターしているので、システムの長時間の稼動時における書き込み回数のモニタが可能である。
【考案を実施するための最良の形態】
【０００８】
以下、本考案の実施形態を図面に関連付けて説明する。
【実施例】
【０００９】
図１は、本考案のＩＤＥインターフェースライトコマンド回数計測装置の一実施例の構成図である。
【００１０】
ＩＤＥライトコマンド回数計測装置４は、ホスト１であるＰＣマザーボードと記憶装置３との間の信号インターフェースであるＩＤＥインターフェース２の各信号を監視する。
【００１１】
ＩＤＥインターフェースライトコマンド回数計測装置４は、ライトコマンドカウント手段５とライトコマンドカウント数表示手段６からなる。
【００１２】
ライトコマンドカウント手段５は、ＦＰＧＡ７、ＣＰＵ８、ＲＯＭ９、ＲＡＭ１０からなる。
【００１３】
ＦＰＧＡ７は、ホスト１からＩＤＥインターフェース２の各レジスタへ書き込まれた値をモニターする回路を有している。
【００１４】
ＲＯＭ１０は、ＣＰＵ８の制御プログラムが格納されており、以下の処理を行う。
ＲＡＭ９は、ＣＰＵ８のワーク用メモリである。
【００１５】
ＣＰＵ８は、ＦＰＡＧ７に書き込まれたＩＤＥインターフェース２のコマンドレジスタの値がライト系コマンドかどうかを判断し、ライト系コマンドでれば、ライトコマンドカウント値を＋１する。
【００１６】
ライト系コマンド以外であれば、書き込まれた値を無視し、何も行わない。
ライトコマンドカウント数表示手段６は、７セグメントＬＥＤ表示器１１からなり、上記ＣＰＵがカウントしたライトコマンドカウント数を表示する。
【００１７】
なお、本実施例では、ライトコマンドカウンタ数表示手段は、７セグメントＬＥＤ表示器からなる例で示したが、本考案はこれに限るものではなく、他の方法、例えば液晶表示器を使用してもよい。
【産業上の利用可能性】
【００１８】
本考案は、コンピュータ関連産業において利用できるものである。
【図面の簡単な説明】
【００１９】
【図１】本考案の一実施例を示した図
【符号の説明】
【００２０】
１  ホスト
２  ＩＤＥインターフェース
３  記憶装置
４  ＩＤＥインターフェースライトコマンド回数計測装置
５  ライトコマンドカウント手段
６  ライトコマンドカウント数表示手段
７  ＦＰＧＡ
８  ＣＰＵ
９  ＲＯＭ
１０  ＲＡＭ
１１  ７セグメントＬＥＤ表示器
【図１】
0003142911.tif 000003
(57)【要約】      （修正有）【課題】携帯用の電気ドリルを使用し穿孔する際に、正確に垂直な穴を開けることが出来る冶具を提供する。【解決手段】被工作平面の穿孔点上方に、基準になる垂直線を仮想する為の垂直指示器を提供するもので、作業平面に密着可能な平面を持つ底板１と、この底板の平面に対して垂直上方の半円で構成し、その形状は、平板の一辺に半円形の切り欠き３を作りこれを底板とし、この底板に切り欠いた半円形の垂直上方に平行移動した状態の半円形２を目視可能に形成し、これを前記の底板と支柱４により一体化することで垂直指示器とする。【選択図】図１
0003142444.tif 000002
【実用新案登録請求の範囲】
【請求項１】
携帯用電気ドリルで被工作平面に垂直な穴をあけたいとき、穿孔作業中でも錐の姿勢を確認できる補助具に関して、平板の一辺に半円形の切り欠きを作りこれを底板とし、この底板に切り欠いた半円形の垂直上方に平行移動した状態の半円形を目視可能に形成し、これを前記の底板と一体化したことを特徴とする垂直指示器。
【請求項２】
前記垂直指示器の底板中央部を切り欠き、その開口内部に吸着面が底板の下側平面と同水準になるように永久磁石部を配置固定した請求項１の垂直指示器。
【考案の詳細な説明】
【技術分野】
【０００１】
本考案は被工作平面に携帯用電気ドリルで垂直な穴をあけるための補助具に関する。
【背景技術】
【０００２】
携帯用電動ドリルでの穿孔作業は、床面、斜面、立面、天井面等、多方面で実行されるが、正確な垂直穿孔作業は熟練者でも難しい。又、錐の姿勢を垂直姿勢に誘導する簡便な治具も無いと思われる。
【０００３】
特許文献１にはドリルの垂直性確保案が記載されているが、穴あけ中心点の目視方法、側面や天井面での使用方法、等が考慮されていない。
【特許文献１】特開２００３−２６６２２２号公報
【考案の開示】
【考案が解決しようとする課題】
【０００４】
日曜大工等で被工作平面に垂直な穴をあけたいとき、携帯用の電気ドリルを使用することが良く有るが、被工作平面とドリル姿勢を勘案した感覚を頼りに穿孔することが多く、熟練しないと正確な垂直穴はあけられない。これは平面に書いた基準線に相当するような、ドリル姿勢の参考になる指標を空間に作れないためである。
【課題を解決するための手段】
【０００５】
本考案は被工作平面の穿孔点上方に、基準になる垂直線を仮想する為の垂直指示器を提供するもので、作業平面に密着可能な平面を持つ底板と、この底板の平面に対して垂直上方に有る半円で構成し、その形状は、平板の一辺に半円形の切り欠きを作りこれを底板とし、この底板に切り欠いた半円形の垂直上方に平行移動した状態の半円形を目視可能に形成し、これを前記の底板と一体化する。
【０００６】
又、被工作平面に固定する為に、前記垂直指示器の底板中央部を切り欠き、その開口内部に永久磁石部の吸着面が底板の下側平面と同水準になるように挿入固定する。
【考案の効果】
【０００７】
本考案の垂直指示器下面の半円の中心点を被工作平面の穿孔中心点に合わせて設置することで、穿孔作業中に錐の上部が前記半円の垂直上方の半円の中心にあることを確認出来るので錐の垂直姿勢を保ち易い。
【０００８】
又、垂直支持部を半円にすることで、錐先を穿孔中心点に合わせることも楽になる。
【０００９】
被工作平面が磁性体の場合には、直接工作点にこの垂直指示器を置くことで振動等による指示器の移動も防げるし、側面や天井面での使用も可能になる。
【００１０】
被工作平面が非磁性体の場合には、鉄板等磁性体の板を部材平面に固定すれば磁性体部材と同様の効果が得られる。
【考案を実施するための最良の形態】
【００１１】
図１は請求項１を説明したもので、底板１に半円３を切り欠いた状態と、半円３の上方に上部半円形２とその支柱４を線材で形成し、底板１に一体化したものである。
【００１２】
図２は請求項２を説明したもので、底板１の中央部に切り欠き５を作り、永久磁石６を強磁性体の磁石保持金具７で底板に固定する。この時、保持金具７の両下端面は被工作材と密着して磁力線の閉回路を作るべく、底板下面と同一平面を形成する。
【００１３】
本考案の垂直指示器は永久磁石の吸引力を利用して保持するために、底板や垂直支持部はアルミニュームやプラスチック等軽量で剛性の有る材質が望ましい。
【００１４】
図１に示す上部半円形２の内径や支柱４の長さは、使用する錐により使い分けられ、内径は錐径プラス６ミリメートル前後、長さは錐長の１／３〜１／４が望ましい。
【実施例１】
【００１５】
図３は本考案の垂直指示器を使用中の斜視図であるが、穿孔点を示すケガキ線１０を被工作材９に十字に描き、垂直指示器の下面半円部の３点をケガキ線に合わせ、穿孔点１１に錐を合わせた状態で、上部半円形２と錐の上部が同心円を保つように目視しながら穿孔作業をすることで、垂直穿孔が可能になる。
【実施例２】
【００１６】
図４は図１の上部半円形２の変形として、半円筒２２を使ったものであり、指示器位置合わせ用の切り欠き２３を半円筒２２の上下断面中央に設けたものである。
【実施例３】
【００１７】
図５は本考案の垂直指示器の変形として、使用する錐の長さや太さに対処するために、大きさが異なる半円筒を複数備えた垂直指示器の例である。
【産業上の利用可能性】
【００１８】
本考案の垂直指示器を使えば日曜大工等の楽しさが増し、工具産業や材料産業界の活性化に貢献できると考える。
【図面の簡単な説明】
【００１９】
【図１】請求項１の説明図
【図２】請求項２の説明図
【図３】使用中斜視図
【図４】半円筒型斜視図
【図５】複数型斜視図
【符号の説明】
【００２０】
１    底板
２    上部半円形
３    半円
４    支柱
５    中央部切り欠き
６    永久磁石
７    磁石保持金具
８    錐
９    被工作材
１０    ケガキ線
１１    穿孔点
２２    半円筒
２３    上下切り欠き
【図１】
0003142444.tif 000003
【図２】
0003142444.tif 000004
【図３】
0003142444.tif 000005
【図４】
0003142444.tif 000006
【図５】
0003142444.tif 000007
(57)【要約】【課題】飾り機能付きのスクリュードライバーヘッド構造を提供する。【解決手段】主として、スクリュードライバーヘッドの本体に、リング状槽が設けられ、リング状槽に飾りリングが嵌設され、スクリュードライバーヘッドを工具の開口の内部に挿設すると、工具の開口の内壁により飾りリングが挟み持たれ、より安定的に結合され、また、飾り機能を有するスクリュードライバーヘッド構造が構成される。【選択図】図１
0003142454.tif 000002
【実用新案登録請求の範囲】
【請求項１】
本体の一端に、リング状槽が設けられ、リング状槽に、飾りリングが嵌設され、本体が、工具の開口の内部に挿設されると、工具の開口の内壁により、スクリュードライバーヘッドの飾りリングが挟み持たれることを特徴とする、飾り機能付きのスクリュードライバーヘッド構造。
【請求項２】
飾りリングは、様々の色や図柄が設計されることを特徴とする請求項１に記載の飾り機能付きのスクリュードライバーヘッド構造。
【考案の詳細な説明】
【技術分野】
【０００１】
本考案は、飾り機能付きのスクリュードライバーヘッド構造に関し、特に、スクリュードライバーヘッドの本体の一端に、飾りリングが嵌設されるためのリング状槽が設けられ、より安定的に結合される飾り機能付きのスクリュードライバーヘッド構造に関する。
【背景技術】
【０００２】
図５と図６は、従来の認識機能付きのスクリュードライバーヘッド構造であり、スクリュードライバーヘッド４０のネック部４１を長くして、該ネック部４１に、それぞれ異なる型式のスクリュードライバーヘッド４０に応じて異なる色の色リング５０を嵌設することにより認識構造が形成されるが、従来の認識機能付きのスクリュードライバーヘッドは常に回転しているため、ネック部と色リングとの密合度が良くない問題がある。
【０００３】
本考案者は、上記の欠点を改善するため慎重に研究開発し、そして学理を活用して、設計が合理的で有効に上記の欠点を改善できる本考案を提案する。
【考案の開示】
【考案が解決しようとする課題】
【０００４】
本考案の目的は、スクリュードライバーヘッドの本体の一端に、飾りリングが嵌設されるためのリング状槽が設けられ、より安定的に結合される飾り機能付きのスクリュードライバーヘッド構造を提供する。
【課題を解決するための手段】
【０００５】
請求項１の考案は、本体の一端にリング状槽が設けられ、リング状槽に飾りリングが嵌設され、本体が工具の開口の内部に挿設されると、工具の開口の内壁により、スクリュードライバーヘッドの飾りリングが挟み持たれることを特徴とする、飾り機能付きのスクリュードライバーヘッド構造である。
【０００６】
請求項２の考案は、飾りリングは、様々の色や図柄が設計されることを特徴とする請求項１に記載の飾り機能付きのスクリュードライバーヘッド構造である。
【考案を実施するための最良の形態】
【０００７】
図１乃至図３は、飾り機能付きのスクリュードライバーヘッド構造であり、スクリュードライバーヘッド１０は、本体１１の一端に、リング状槽１１１（例えば、図１と図２及び図２−１を参照しながら）が設けられ、リング状槽１１１に飾りリング２０が嵌設され、飾りリング２０は異なる色や図柄に設計され、スクリュードライバーヘッド１０の本体１１が工具３０の開口３１の内部（図３のように）に挿設されると、工具３０の開口３１の内壁３１１によって、スクリュードライバーヘッド１０の飾りリング２０（図３−１のように）が挟み持たれ、これにより飾りリングがより安定的にスクリュードライバーヘッドの本体のリング状槽に結合され、飾り機能付きのスクリュードライバーヘッド構造が実現される。
【０００８】
図４を参照しながら、本考案の飾りリング２０は、異なる色や図柄に設計され、飾りリング２０が、異なる形式のスクリュードライバーヘッドに嵌設されることにより、より実用的な効果が得られる飾り機能付きのスクリュードライバーヘッドが実現される。
【０００９】
本考案に係る飾り機能付きのスクリュードライバーヘッド構造は、主として、スクリュードライバーヘッドの本体の一端に、飾りリングが嵌設されるためのリング状槽が設けられ、スクリュードライバーヘッドの本体を工具の開口の内部に挿設すると、工具の開口の内壁により飾りリングが挟み持たれ、これにより飾りリングが安定的にスクリュードライバーヘッドのリング状槽に結合され、また、飾りリングが必要に応じて異なる色や図柄に設計されるため、より良い飾り機能を有するスクリュードライバーヘッド構造が実現される。
【００１０】
本考案は、より進歩的かつより実用的で、法に従って実用新案登録請求を出願する。
【００１１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１２】
【図１】本考案の外観組立て図
【図２】本考案の一部組立て断面図
【図２−１】図２の一部拡大図
【図３】本考案の実施例の組立て断面図
【図３−１】図３の一部拡大図
【図４】本考案の実施例の外観図
【図５】従来の立体外観図
【図６】従来の局部放大組立て断面図
【符号の説明】
【００１３】
１０      スクリュードライバーヘッド
１１      本体  
１１１    リング状槽
２０      飾りリング
３０      工具
３１      開口
３１１    内壁
従来
４０      スクリュードライバーヘッド
４１      ネック部
５０      色リング
【図１】
0003142454.tif 000003
【図２】
0003142454.tif 000004
【図２−１】
0003142454.tif 000005
【図３】
0003142454.tif 000006
【図３−１】
0003142454.tif 000007
【図４】
0003142454.tif 000008
【図５】
0003142454.tif 000009
【図６】
0003142454.tif 000010
(57)【要約】      （修正有）【課題】仕掛けの下に吊着したオモリが根に到達すると止まることで、滑り落ちを防ぎオモリの回収を可能にする根掛かり防止オモリを提供する。【解決手段】仕掛け８１の下端に結んだスナップ付きサルカン８２に捨て糸８３の一端の乳輪８４を接続し、他端をオモリ１１の上に有する環１２に結んで底まで沈めると、オモリ１１の下芯に、一端を下向きに湾曲したカギ１４を備えた腕棒１３の他端をあてがい放射に配し固着したカギ１４が根９１に掛かり滑り落ちを防ぐ。また、仕掛け８１を上げると、根９１に掛かった高位置となる二つのカギ１４の先を支点に他のカギ１４が根９１から外れ、次に支点となった低位置のカギ１４が外れて水平になり、残りのカギ１４も外れて根９１から離れ回収することができ、仕掛け８１や捨て糸８３の付け替えや当該具の付け直しが不要で、限られた釣り時間が有効に使え釣果率が上がり、環境保全にもつながる根掛かり防止オモリである。【選択図】図３
0003142425.tif 000002
【実用新案登録請求の範囲】
【請求項１】
一端を下向きに湾曲したカギを備えた腕棒の他端を、上に環を有するオモリの下芯にあてがい放射に配して固着した根掛かり防止オモリ。
【考案の詳細な説明】
【技術分野】
【０００１】
本考案は、根を好んで生息する魚を釣るときに使う仕掛けの下端に吊着したオモリの根掛かりを防ぐ方法として、根に到達したオモリの滑り落ちを止める根掛かり防止オモリに関する。
【背景技術】
【０００２】
従来、仕掛けの下端にオモリを吊着して沈降し根に生息する魚を釣るが、オモリが根掛かりし失うので、根掛かりを防ぐオモリが望まれる。これまでにいろんな形態のオモリが提案されているなかの一つに、へちま形状とした錘り本体の頂部近くの周囲に、放射状に錘り本体の１／５〜１／３の長さの金属線を多数突設したことを特徴とする魚釣用錘りがある（例えば、特許文献１参照）。これは、根が左右にある場合には有効であるが、根が片側で斜面の場合が多く、止まらないで転がり落ちて根に掛かりオモリを失い、仕掛けが切れることもあり、オモリの取り付けや仕掛けの付け替えに、限られた釣り時間を無駄に費やし釣果率も悪くなり、また、環境破壊にもつながる。
【０００３】
この改善策として、オモリが根に到達すると滑り落ちを止めることが要求される。
【特許文献１】昭５６−９７９７２（公開実用新案公報）
【考案の開示】
【考案が解決しようとする課題】
【０００４】
本考案は、上記従来技術の改善策を解決し、オモリが根に到達すると止まり、滑り落ちを防ぐ根掛かり防止オモリを提供することを課題とする。
【課題を解決するための手段】
【０００５】
本考案の根掛かり防止オモリは上記目的を達成するために、一端を下向きに湾曲したカギを備えた腕棒の他端を、上に環を有するオモリの下芯にあてがい放射に配して固着する。
【考案の効果】
【０００６】
本考案によれば、沈降し根に到達すると腕棒に備えたカギが根に掛かり滑り落ちを防ぎ、仕掛けを上げると根からカギが離れ回収することができる。
【考案を実施するための最良の形態】
【０００７】
本考案は、根（根とは、海底にある岩礁）に到達すると掛かり滑り落ちることを防ぐ根掛かり防止オモリで、それを図面について説明すれば、図１は、本考案の根掛かり防止オモリの形態を示す斜視図で、一端を下向きに湾曲したカギ１４を備えた腕棒１３の他端を、上に環１２を有するオモリ１１の下芯にあてがい放射に配し固着してなる。図２は、図１の根掛かり防止オモリが根に到達した一実施を示す概念図で、仕掛け８１の下端に有するスナップ付きサルカン（スナップ付きサルカンとは、釣糸の撚りを解消する回動自在な環の両端に有する接続具の一方に開閉自在なピンを有した係止具）８２を、捨て糸（捨て糸とは、根に掛かったオモリだけを切り捨て、針の付いた仕掛けを残すための糸）８３の一端の乳輪８４に接続し他端を環１２に結んで沈降させ、カギ１４が根９１に到達する。図３は、図１の根掛かり防止オモリが根に止まる一実施を示す概念図で、カギ１４が根９１に掛かることで止まり滑り落ちを防ぐ。
【０００８】
こうすることで、仕掛け８１を上げると、根９１に掛かった高位置となる二つのカギ１４の先を支点に他のカギ１４が根９１から外れ、次に支点となった低位置のカギ１４が外れて水平になり、残りのカギ１４も外れて根９１から離れ回収することができ、仕掛け８１や捨て糸８３の付け替えや当該具の付け直しが不要で、限られた釣り時間を有効に使え釣果率が上がり、更に、環境保全にもつながる根掛かり防止オモリである。
【図面の簡単な説明】
【０００９】
【図１】本考案の根掛かり防止オモリの形態を示す斜視図である。
【図２】本考案の根掛かり防止オモリが根に到達した一実施を示す概念図である。
【図３】本考案の根掛かり防止オモリが根に止まる一実施を示す概念図である。
【符号の説明】
【００１０】
１１    オモリ
１２    環
１３    腕棒
１４    カギ
８１    仕掛け
８２    スナップ付きサルカン
８３    捨て糸
８４    乳輪
９１    根
【図１】
0003142425.tif 000003
【図２】
0003142425.tif 000004
【図３】
0003142425.tif 000005
(57)【要約】      （修正有）【課題】青森ヒバ材若しくはその他のヒバ材を使用して肩こり防止、熟睡、安眠効果、ストレス解消効果に優れ、持ち運びに便利な枕を提供しようとするものである。【解決手段】青森ヒバ材若しくはその他のヒバ材で、厚さが１５ｍｍ〜２５ｍｍ、幅６０〜８０ｍｍ、長さ２００〜４００ｍｍの直方体状の枕本体を形成して、該枕本体には複数個の永久磁石を埋設し、枕本体の表面には放散溝を設けてなる枕である。【選択図】図１
0003142424.tif 000002
【実用新案登録請求の範囲】
【請求項１】
青森ヒバ材若しくはその他のヒバ材で、厚さが１５mm〜２５mm、幅６０〜８０mm、長さ２００〜４００mmの直方体状の枕本体を形成して、該枕本体には複数個の永久磁石を埋設し、枕本体の表面には放散溝を設けてなる枕。
【考案の詳細な説明】
【技術分野】
【０００１】
本考案は青森ヒバ材その他のヒバ材を使用した枕に関する。
【背景技術】
【０００２】
従来寝具として使用する枕は、袋にそば殻、合成樹脂材等を充填したもの等がありますが、肩こりがおきたり、熟睡、安眠効果が少なく、又持ち運びに不便であるなどの多くの欠点がある。
【考案の開示】
【考案が解決しようとする課題】
【０００３】
そこで本考案は、青森ヒバ材若しくはその他のヒバ材を使用して肩こり防止、熟睡、安眠効果、ストレス解消効果に優れ、又持ち運びに便利な枕を提供しようとするものである。
【課題を解決するための手段】
【０００４】
青森ヒバ材若しくはその他のヒバ材で、厚さが１５mm〜２５mm、幅６０〜８０mm、長さ２００〜４００mmの直方体状の枕本体を形成して、該枕本体には複数個の永久磁石を埋設し、枕本体の表面には放散溝を設けてなる枕である。
【考案の効果】
【０００５】
本考案の効果として、肩や首周辺の血行を良くし、肩こり防止、解消に優れ、安眠、熟睡効果が得られ、且つ自然材による芳香効果によるストレス解消効果が得られ、又放散溝によってヒバ材の芳香効果がより高められると共に、タオル等を巻いて使用す場合も安定感が良く、しかも小形で持ち運びに便利である。
【実施例】
【０００６】
本案を図示の実施例により詳記すると、青森ヒバ材若しくはその他のヒバ材で、厚さが２０mm、幅７０mm、長さ３００mmの直方体状の枕本体１を形成して、該枕本体１の表面には複数個の永久磁石２，２…を等間隔に埋設し、枕本体１の表面には長さ方向の放散溝３，３を設けてなるものである。永久磁石２,２…は不等間隔でも良く、又永久磁石２,２…の表面と枕本体１の表面が面一が望ましいがその他でも良い。
【０００７】
枕本体１の厚さが１５mm未満では枕として低すぎ、２５mmを超えると逆に高すぎて、肩こり防止や解消効果を果たすことができなくなる恐れがあり、中間の２０mm 前後が望ましい。
枕本体１の幅が６０mm未満であったり８０mmを超えると、後頭部や首などが痛くなったりする恐れがあるが、望ましい幅は７０mmである。
又枕本体１の長さが２００mm未満では頭全体を支えるのに小さすぎて両端の角隅部が頭に当たったりして痛くなったりする恐れがあり、又４００mmを超えるものは使い勝手が悪く、持ち運びに不便であると共に、青森ヒバのような貴重な材料では価格も高いものとなり資源の無駄となる。好ましくは３００mmである。
【図面の簡単な説明】
【０００８】
【図１】本考案に係る枕の斜視図説明図。
【符号の説明】
【０００９】
１：枕本体
２、２‥：永久磁石
３：放散溝
【図１】
0003142424.tif 000003